(57)【要約】【課題】点灯時における照度を低下させることなく、消灯時における蓄光体の残光の照度が高められる蛍光ランプを提供する。【解決手段】蛍光ランプ１は、発光部となる蛍光管２と、蛍光管２の両端の電極を保持する電極保持部材３と、を備える。電極保持部材３は、蓄光性蛍光体を含む合成樹脂によって成形される。蛍光管２は、環状の蛍光管または直管形状の蛍光管である。合成樹脂は、光を透過する性質を有し、蓄光性蛍光体は、ＭＡｌ２Ｏ４：Ｅｕ２＋，Ｘ２＋、Ｍ４Ａｌ１４Ｏ２５：Ｅｕ，Ｘ、Ｍ２Ｓｉ５Ｎ８：Ｅｕ２＋，Ｔｍ３＋、Ｙ２Ｏ２Ｓ：Ｅｕ３＋，Ｍｇ，Ｔｉ、ＣａＳ：Ｅｕ３＋，Ｔｍ、ＺｎＳ：Ｃｕ，Ｃｏ、ＺｎＳ：Ｃｕ、ＣａＳｒＳ：Ｂｉ（式中、ＭはＣａ、Ｓｉ、Ｂａからなる群から選択された少なくとも１つ以上の金属元素であり、Ｘは、ＤｙまたはＮｄである）で表される化合物のうちの１つまたは２つ以上の組み合わせである。【選択図】図１
2011119181.tif 000002
【特許請求の範囲】
【請求項１】
発光部となる蛍光管と、
前記蛍光管の端部の電極を保持する電極保持部材と、を備える蛍光ランプにおいて、
前記電極保持部材は、蓄光性蛍光体を含む合成樹脂によって形成されることを特徴とする蛍光ランプ。
【請求項２】
前記蛍光管は環状の蛍光管であって、
前記電極保持部材は、前記環状の蛍光管の両端部を連結すると共に前記環状の蛍光管の各端部の電極を保持することを特徴とする請求項１に記載の蛍光ランプ。
【請求項３】
前記蛍光管は直管形状の蛍光管であることを特徴とする請求項１に記載の蛍光ランプ。
【請求項４】
前記合成樹脂は、光を透過する性質を有することを特徴とする請求項１乃至３のいずれか１項に記載の蛍光ランプ。
【請求項５】
前記蓄光性蛍光体は、一般式がＭＡｌ2Ｏ4：Ｅｕ2+，Ｘ2+、Ｍ4Ａｌ14Ｏ25：Ｅｕ，Ｘ、Ｍ2Ｓｉ5Ｎ8：Ｅｕ2+，Ｔｍ3+、Ｙ2Ｏ2Ｓ：Ｅｕ3+，Ｍｇ，Ｔｉ、ＣａＳ：Ｅｕ3+，Ｔｍ、ＺｎＳ：Ｃｕ，Ｃｏ、ＺｎＳ：Ｃｕ、ＣａＳｒＳ：Ｂｉ（式中、ＭはＣａ、Ｓｉ、Ｂａからなる群から選択された少なくとも１つ以上の金属元素であり、Ｘは、ＤｙまたはＮｄである）で表される化合物のうちの１つまたは２つ以上の組み合わせであることを特徴とする請求項１に記載の蛍光ランプ。
【発明の詳細な説明】
【技術分野】
【０００１】
本発明は、一般照明用などに多く使用されている蛍光ランプに関する。
【背景技術】
【０００２】
一般的な照明器具として、直管型蛍光ランプや環形蛍光ランプ等が知られている。蛍光ランプは、発光部となる蛍光管と、該蛍光管の端部の電極を保持する電極保持部材とを備えている。蛍光管は、ガラス管と該ガラス管の内面に形成された蛍光体とで構成されている。蛍光管に封入されている水銀及び希ガスの放電で発生する紫外線を蛍光体に当てて可視光線に変換することによって蛍光管は発光する。
【０００３】
近年では、省資材及び省電力の観点から、蓄光性を有する蛍光ランプが提案されている。
【０００４】
特許文献１では、ガラス管の内面に形成される蛍光体として、蓄光体を含有した蛍光体（以下、蓄光性蛍光体と称す）を用いた蛍光ランプが開示されている。蓄光体は、光を蓄えることができ且つ蓄えた光を徐々に放出することができるため、蛍光ランプの消灯後においても、暫くの間、蓄光体から放出される光（以下、残光と称す）が得られる。したがって、従来では小型の電球、いわゆる豆電球で微弱に照射していた役割を、該蛍光ランプの残光で担うことができ、豆電球の資材費及び電力の低減が可能となる。
【０００５】
特許文献１で開示されている蛍光ランプを、家庭内のキッチン、リビングはもちろんのこと、オフィス、大型店舗、劇場、浴場、地下街などで用いることで、非照明状態の空間内を目的の場所まで比較的安全に移動することができる。特に、人が多く集まる大型店舗、劇場、地下街などでは、万一、火災や地震などの災害の発生によって停電した場合、照明されていた空間の暗黒化によってパニック状態に陥る可能性がある。蛍光ランプからの残光によって物の識別が可能であることから、パニック状態に陥ることなく避難することができる。このように、蓄光性を有する蛍光ランプは、直管形、環形、白熱電球形などの形状にかかわらず実用化されている。
【先行技術文献】
【特許文献】
【０００６】
【特許文献１】特開２００１−２３５７４号公報
【発明の概要】
【発明が解決しようとする課題】
【０００７】
しかしながら、特許文献１で開示されている蛍光ランプの蛍光管では、残光の照度を高めるためには蓄光性蛍光体における蓄光体の含有率を高める必要がある。蓄光性蛍光体中の蓄光体の含有率を高めるにつれて、紫外線を可視光に変換するための蛍光体の含有率が相対的に低下するため、蛍光ランプの点灯時における照度が低下する。逆に、蛍光ランプの点灯時の照度を高めると、蛍光管の内面に形成される蓄光性蛍光体では蛍光ランプの消灯時の照度を十分に得られない場合がある。
【０００８】
そこで、本発明は、点灯時における照度を低下させることなく、消灯時における蓄光体の残光の照度が高められる蛍光ランプを提供することを目的とする。
【課題を解決するための手段】
【０００９】
上記目的を達成するために、本発明は、発光部となる蛍光管と、蛍光管の端部の電極を保持する電極保持部材と、を備える。電極保持部材は、蓄光性蛍光体を含む合成樹脂によって成形されることを特徴とする。
【発明の効果】
【００１０】
本発明によれば、点灯時における照度を低下させることなく、消灯時における蓄光体の残光の照度が高められる。
【図面の簡単な説明】
【００１１】
【図１】本実施形態における環形蛍光ランプの平面図である。
【図２】電極保持部材の平面図である。
【発明を実施するための形態】
【００１２】
本発明を実施するための形態について、図面を参照して詳細に説明する。図１は、本実施形態における環形蛍光ランプ（以下、蛍光ランプ１と称す）の平面図である。蛍光ランプ１は、発光部となる蛍光管２と、該蛍光管の端部の電極を保持する電極保持部材３と、を備えている。
【００１３】
蛍光管２は、環状のガラス管と、該ガラス管の内面に形成された発光体と、で構成されており、蛍光管２の内部には水銀及び希ガスが封入されている。希ガスとしては、アルゴンやネオン等が用いられる。
【００１４】
図２は、図１に示す視野Ａ方向から見たときの電極保持部材３の平面図である。図２で示すように、電極保持部材３は、筒状体を曲げた形状を有しており、蛍光管２と電極保持部材３とを連結することによって環形を形成する。また、電極保持部材３によって、蛍光管２の内部に入れられた水銀及び希ガスが密封される。
【００１５】
電極保持部材３には、外部から電力を受けるためのピン４が、電極保持部材３の本体の内部から外部に向かって突出するように備え付けられている。本実施形態では、ピン４が環形の蛍光ランプ１の中心に向かって配設されているため、蛍光ランプ１の外周側にピン４の影が形成されることがない。
【００１６】
さらに、電極保持部材３は、蛍光管２の両端部を連結するとともに、蛍光管２の各端部の電極を保持している。該電極とピン４とが電気的に接続されており、ピン４を介して電極に電圧がかけられることによって、蛍光管２が点灯する。
【００１７】
本実施形態において、電極保持部材３の本体を形成する部材は、蓄光性蛍光体を含む半透明合成樹脂によって成形されている。半透明合成樹脂としては、ポリカーボネート（ＰＣ：Ｐｏｌｙｃａｒｂｏｎａｔｅ）とガラス繊維強化ポリエチレンテレフタレート（ＧＦ−ＰＥＴ）とが合成されたものが用いられている。合成樹脂としては、ＰＣとＧＦ−ＰＥＴとが合成されたものに限定されず、光を透過する性質を有するものであればよい。
【００１８】
また、蓄光性蛍光体としては、一般式がＭＡｌ2Ｏ4：Ｅｕ2+，Ｘ2+、Ｍ4Ａｌ14Ｏ25：Ｅｕ，Ｘ、Ｍ2Ｓｉ5Ｎ8：Ｅｕ2+，Ｔｍ3+、Ｙ2Ｏ2Ｓ：Ｅｕ3+，Ｍｇ，Ｔｉ、ＣａＳ：Ｅｕ2+，Ｔｍ3+、ＺｎＳ：Ｃｕ，Ｃｏ、ＺｎＳ：Ｃｕ、ＣａＳｒＳ：Ｂｉ等で表される化合物が挙げられる。それらの化合物のいずれか１つでもよく、少なくとも２つを組み合わせてもよい。なお、式中のＭはカルシウム（Ｃａ）、ストロンチウム（Ｓｒ）またはバリウム（Ｂａ）からなる群から選択された少なくとも１つ以上の金属元素であり、Ｘはジスプロシウム（Ｄｙ）またはネオジム（Ｎｄ）である。
【００１９】
蛍光ランプ１の点灯は、蛍光管２の電極に電流を流すことによって行われる。その電極に始動電圧が印加されると、蛍光管２に封入されている希ガスが電離する。電離した希ガスを電極に衝突させることによって二次電子を放出させグロー放電を生起させる。これにより励起された水銀が紫外線を放射する。この紫外線を受けた蛍光体が可視光に変換することによって蛍光管は発光する。
【００２０】
本実施形態においては、電極保持部材３の本体は半透明からなる合成樹脂で成形されているため、蛍光管２から電極保持部材３に漏れ出た光が、電極保持部材３をさらに透過する。不透明合成樹脂、例えばＰＢＴ（Ｐｏｌｙｂｕｔｙｌｅｎｅ  Ｔｅｒｅｐｈｔｈａｌａｔｅ）を用いて成形した場合には蛍光管２と電極保持部材３との間に明暗差が現れるが、本実施形態では蛍光管２と電極保持部材３との間の明暗差は低減される。
【００２１】
したがって、電極保持部材３からも蛍光管２の光が照射されるため、電極保持部材３の本体が不透明な合成樹脂で成形された場合に比べて蛍光ランプ１の照度が向上する。また、本実施形態では、点灯時に蛍光ランプ１の全周にわたって一様の明るさを有するため外観が向上する。
【００２２】
さらに、電極保持部材３の本体を形成する半透明合成樹脂には、蓄光性蛍光体が含まれているため、蛍光ランプ１の点灯中に電極保持部材３に蓄積した光が、蛍光ランプ１の消灯後に残光として照射される。蛍光管２の内部に用いる蛍光体を蓄光性蛍光体とした場合には、電極保持部材３の残光と蛍光管２の残光とあわせて、蛍光ランプ１の消灯時においても高い照度が得られる。
【００２３】
電極保持部材３の残光で十分な照度が得られる場合には、蛍光管２の蛍光体を、蓄光体が含まれないものにしてもよい。このように、蛍光管２蛍光体に蓄光体を含めないことによって、蛍光ランプ１の点灯時には蛍光管２で高い照度を得ることが可能となる。また、蛍光ランプ１の消灯時には、小型の電球、いわゆる豆電球と同じ役割を電極保持部材３が担うことができる。したがって、蛍光ランプにおいて、豆電球を備える必要がなくなり、蛍光ランプの低コスト化及び省電力化を図ることができる。
【００２４】
また、半透明合成樹脂に含まれる蓄光性蛍光体は、紫外線を吸収することも可能である。したがって、蛍光管２から照射される紫外線による半透明合成樹脂の変色や機械的強度の低下を防止することができ、蛍光ランプ１の耐久性も向上する。
【００２５】
電極保持部材３の材料としては、従来では紫外線によって劣化しない不透明合成樹脂であるＰＢＴが主に用いられていた。本発明では、蓄光性蛍光体を合成樹脂に含有することにより、紫外線への耐久性が向上するため、前述したような他の合成樹脂を用いることが可能となり、電極保持部材３に透明性を持たせることができる。
【００２６】
電極保持部材３は、電極保持部材３の本体の表面粗さによって、電極保持部材３の透明度を任意に定めることができる。電極保持部材３の本体を平滑に仕上げた場合には、高い透明度を有する電極保持部材３を得られる。蛍光ランプ１の点灯時において、蛍光管２から電極保持部材３に漏れ出た光が、さらに電極保持部材３から透過するため、照度の高い蛍光ランプ１を必要とするときに有効である。
【００２７】
また、電極保持部材３の本体を粗くした場合、例えば微小な凹凸を設けた場合には、電極保持部材３の透明度は低くなる。蛍光管２から電極保持部材３に漏れ出た光が、電極保持部材３の外殻の凹凸で拡散するため、電極保持部材３の内部を隠す場合などに適用することができる。
【００２８】
なお、本書においては、環形蛍光ランプについて説明を述べたが、直管形蛍光ランプにも適用可能である。直管形蛍光ランプにおいては、直管形状の蛍光管の両端に設けられている電極を、本発明における蓄光性蛍光体が含まれる合成樹脂を用いて保持することで、蛍光管とは異なる部材に蓄光性を持たせることが可能となる。
【符号の説明】
【００２９】
１      蛍光ランプ
２      蛍光管
３      電極保持部材
４      ピン
【図１】
2011119181.tif 000003
【図２】
2011119181.tif 000004